(57)【要約】【課題】容易に着脱可能で、ドラムの音量を適度に低減させるドラム用ミュート部材を提供する。【解決手段】ドラム用ミュート部材１００は、ドラムヘッドＤの周縁において前記ドラムヘッドＤから突出する凸部Ｈの先端によって支持される支持部１と、前記支持部１によって周縁が支持され、ドラムヘッドＤに対して間隔をあけて配されるミュート部２と、を備える。また、ドラム用ミュート部材１００は、前記支持部１と前記ミュート部２の少なくとも一方が弾性を有し、前記ミュート部２が前記ドラムヘッドＤに接触するまで弾性変形してもよい。【選択図】図１
2018146749.tif 000002
【特許請求の範囲】
【請求項１】
ドラムヘッドの周縁において前記ドラムヘッドから突出する凸部の先端によって支持される支持部と、
前記支持部によって周縁が支持され、前記ドラムヘッドに対して間隔をあけて配されるミュート部と、を備える、
ドラム用ミュート部材。
【請求項２】
前記支持部と前記ミュート部の少なくとも一方は弾性を有し、
前記ミュート部が前記ドラムヘッドに接触するまで弾性変形する、
請求項１に記載のドラム用ミュート部材。
【請求項３】
前記ミュート部が円形形状であり、前記ミュート部の係寸法は前記ドラムヘッドの係寸法の５０％以上である、
請求項１または請求項２に記載のドラム用ミュート部材。
【請求項４】
前記支持部を前記凸部に固定する固定部材をさらに備える、
請求項１から請求項３のいずれか一項に記載のドラム用ミュート部材。
【発明の詳細な説明】
【技術分野】
【０００１】
本発明は、アコースティックドラムに用いるドラム用ミュート部材に関する。
【背景技術】
【０００２】
従来、アコースティックドラムをミュート（消音）する装置や方法が知られている。例えば、アコースティックドラムの打面にテープ等のミュート部材を装着させ、スティックなどの打撃体でドラムヘッドを打撃した際に発生するドラムヘッドの振動の振幅や振動時間を低減させるミュート方法が知られている。また、ドラムヘッドをパッドなどで直接覆い、スティックなどの打撃体からドラムヘッドが受ける運動エネルギー自体を低減させる方法もある。
【０００３】
このようなミュート装置や方法において、ミュート部材は容易にアコースティックドラムに装着することができものが多い。容易に着脱できるミュート部材を用いて、使用者はアコースティックドラムを手軽にミュートすることができる。
【０００４】
特許文献１には、打楽器を被う打楽器用カバーが記載されている。カバーは打楽器の形状にあわせて形成されており、そのカバーには消音パッドが付設されている。カバーは容易に打楽器に着脱可能であるが、打楽器の打面に直接装着されるものである。
【先行技術文献】
【特許文献】
【０００５】
【特許文献１】実公昭５８−０４３０３０号公報
【発明の概要】
【発明が解決しようとする課題】
【０００６】
しかしながら、これらのミュート部材の多くは、直接ドラムヘッドに装着されるため、ミュート部材は必要以上にアコースティックドラムの音量を低減させ、また、特定の周波数成分を低減させてしまう場合があった。その結果、ミュート部材が装着されたアコースティックドラムから発せられる音から、アコースティックドラムのもつ自然な音色が失われてしまう場合があった。
【０００７】
本発明は、上記の事情に鑑みなされたもので、容易に着脱可能で、ドラムの音量を適度に低減させるドラム用ミュート部材を提供することを目的とする。
【課題を解決するための手段】
【０００８】
上記課題を解決するために、この発明は以下の手段を提案している。
本発明に係るドラム用ミュート部材は、ドラムヘッドの周縁において前記ドラムヘッドから突出する凸部の先端によって支持される支持部と、前記支持部によって周縁が支持され、ドラムヘッドに対して間隔をあけて配されるミュート部と、を備える。
【発明の効果】
【０００９】
本発明によれば、容易に着脱可能で、ドラムの音量を適度に低減させるドラム用ミュート部材を提供することができる。
【図面の簡単な説明】
【００１０】
【図１】本発明の第一実施形態に係るドラム用ミュート部材の全体構成を示す図である。
【図２】本発明の第一実施形態に係るドラム用ミュート部材をドラムに取り付けた際の全体構成を示す図である。
【図３】本発明の第一実施形態に係るドラム用ミュート部材をドラムに取り付けた際の断面図である。
【図４】本発明の第一実施形態に係るドラム用ミュート部材をドラムに取り付けた際の断面図である。
【図５】本発明の第一実施形態に係るドラム用ミュート部材の変形例をドラムに取り付けた際の断面図である。
【発明を実施するための形態】
【００１１】
（第一実施形態）
以下、本発明に係るドラム用ミュート部材の一実施形態を、図１から図５を参照しながら説明する。なお、図面を見やすくするため、各構成要素の厚さや寸法の比率は適宜調整されている。
【００１２】
図１は、本実施形態に係るドラム用ミュート部材１００の全体の構成を示す図である。また、図２はドラム用ミュート部材１００をドラムに取り付けた際の全体構成を示す図である。
図１および図２に示すように、ドラム用ミュート部材１００は、ドラムヘッドＤの周縁に、ドラムヘッドＤから突出するフープＨ（凸部）を有するドラムに取付可能なものである。
【００１３】
なお、図１および図２において、フープＨはドラム本体Ｂの開口に嵌合されるドラムヘッドＤの周縁部を保持するヘッド枠を下方向に押圧する環状の締枠である。ラグＬは、ドラム本体Ｂの外周面に設けられ、フープＨとドラムヘッドＤを固定し、ドラムヘッドＤのテンションを調節する部材である。ロッドＲはフープＨをラグＬに連結固定するボルトである。
【００１４】
図１および図２に示すように、本実施形態に係るドラム用ミュート部材１００は、支持部１と、ミュート部２と、固定部材３と、を備えている。
【００１５】
支持部１は、図２に示すように、環状形状に形成されており、フープＨの外周面に取り付けることができる。支持部１の係寸法は、取り付け対象のドラムにおけるフープＨの外周の係寸法よりも小さい。しかし、支持部１は弾性を有しているため、支持部１を弾性変形により径方向に伸縮させることで、フープＨの外周面に取り付けることができる。フープＨに取り付けられた支持部１は、径方向の内側に向かう復元力により、フープＨの外周面に固定される。
【００１６】
ミュート部２は、図１に示すように、円形形状に形成されている。ミュート部２の周縁は、支持部１に接続されている。ミュート部２は、衝撃の吸収に適した柔かい素材、例えば、布やポリエレルやナイロンによって形成されており、また、弾性を有している。ミュート部２の材質は空気を通過させにくい素材で形成されていることが好ましい。
【００１７】
図３は、ドラム用ミュート部材１００を、ドラムヘッドＤから突出するフープＨを有するドラムに取り付けた際の断面図である。
図３に示すように、ドラム用ミュート部材１００をドラムに取り付けた場合、支持部１はフープＨの先端部Ｈａ（先端）によって支持され、ミュート部２は支持部１によって周縁が支持されている。ここで、フープＨの先端部Ｈａとは、フープＨのうち、ドラムヘッドＤから最も突出した端部である。
ミュート部２の径寸法は、支持部１の係寸法と同じであり、フープＨの外周の係寸法よりも小さい。そのため、ミュート部２は、弾性変形により径方向の外側に伸びており、たるみのない平面形状となっている。その結果、ミュート部２はドラムヘッドＤに対して間隔をあけて配され、ミュート部２とドラムヘッドＤとの間には空間Sが形成される。ミュート部２が、径方向の外側に伸びて平面形状となっており、ドラムヘッドＤに対して間隔をあけて配された位置にあることを、以降の説明において、ミュート部２が「初期位置」にあると称する。
【００１８】
ミュート部２は、ドラムヘッドＤの有効打撃領域に対して間隔をあけて配されていればよい。そのため、ミュート部２の係寸法は前記ドラムヘッドＤの係寸法の５０％以上であることが好ましい。
【００１９】
固定部材３は、紐で構成された、支持部１をフープＨの外周面に固定する固定部材である。支持部１には、支持部１の環状形状に沿って、固定部材３を挿通させることができる経路が形成されており、その経路は一箇所で外部空間と連通している。
図２に示すように、その経路に挿通させる固定部材３の長さを短かくすることで、固定部材３は支持部１とフープＨの外周面とを強く接触させる。その結果、支持部１はフープＨに対して相対移動しにくくなる。後述するように、ミュート部２がスティックなどの打撃体により変形した場合において、支持部１がフープＨに対して相対移動することを防ぐ。
【００２０】
固定部材３は、弾性を有しない紐等であってもよく、弾性を有するゴムなどの素材で形成されていてもよい。経路の外部空間と連通している箇所において、固定部材３に結び目を形成する等により、経路に挿通させる固定部材３の長さを調整する。
【００２１】
図４は、ドラムに取り付けたドラム用ミュート部材１００のミュート部２を弾性変形させた際の断面図である。
初期位置にあるミュート部２を、ドラムヘッドＤに対してスティック等の打撃体で押さえつけると、支持部１もしくはミュート部２もしくはその両方は、ミュート部２がドラムヘッドＤに接触するまで弾性変形する。
ミュート部２をドラムヘッドＤに対して押さえつけていた力を解消すると、ミュート部２は、支持部１もしくはミュート部２もしくはその両方の復元力によって、初期位置に戻る。
【００２２】
次に、ドラム用ミュート部材１００の使い方や動作について説明する。
はじめに、支持部１を径方向の外側に伸ばし、フープＨの外周面に取り付ける。ミュート部２は初期位置に配される。
ここで、支持部１は、フープＨの外周面だけではなく、ラグＬやロッドＲを覆っていてもよい。ミュート部２が初期位置に配されていれば、支持部１が支持される部材は、フープＨに限られない。ミュート部２は、ミュート部２が径方向の外側により伸びて、初期位置にもどる復元力が強くなるように支持されることがより好ましい。
【００２３】
支持部１は、自身の径方向の内側に向かう復元力により、フープＨの外周面等に接触する。さらに、支持部１に形成された経路に挿通させる固定部材３の長さを短かくすることで、支持部１はフープＨの外周面とより強く接触する。支持部１がフープＨに対して相対移動することを防ぐ。
【００２４】
使用者は、スティック等の打撃体で、ミュート部２が初期位置に配されたドラムヘッドＤを打撃する。スティックとの打撃体は、ミュート部２をドラムヘッドＤに接触するまで弾性変形させたうえで、ドラムヘッドＤを打撃する。このとき、ミュート部２は、スティックなどの打撃体からドラムヘッドＤが受ける運動エネルギー自体を低減させる。
【００２５】
ドラムヘッドＤを打撃されたドラムは音を発する。ドラム用ミュート部材１００をドラムに装着していないときと比較すると、ドラムヘッドＤが受ける運動エネルギーが低減されるため、ドラムが発する音量、特にアタック音の音量が低減される。
【００２６】
ミュート部２が空気を通過させにくい素材で形成されている場合、ミュート部２とドラムヘッドＤの間に形成された空間Sが空気バネとして機能して、スティックなどの打撃体からドラムヘッドＤが受ける運動エネルギーを低減させる。
【００２７】
スティックなどの打撃体がミュート部２から離されると、ミュート部２は初期位置に戻り、ドラムヘッドＤにはミュート部２が接触しない。そのため、ドラムは、ドラムのもつ自然な音色やサスティーンを発することができる。
【００２８】
（第一実施形態の効果）
以上のように構成される本実施形態のドラム用ミュート部材１００は、ドラムヘッドＤの周縁にドラムヘッドＤから突出するフープＨを有するドラムに容易に着脱可能である。また、スティックなどの打撃体からドラムヘッドＤが受ける運動エネルギー自体を低減させることで、ドラムが発する音量、特にアタック音の音量を低減させることができる。
【００２９】
スティックなどの打撃体による打撃後、ミュート部２は初期位置に戻り、ドラムヘッドＤにはミュート部２が接触しない。そのため、ドラムは、ドラムのもつ自然な音色やサスティーンを発することができる。
【００３０】
（変形例）
以上、本発明の第一実施形態について図面を参照して詳述したが、具体的な構成はこの実施形態に限られるものではなく、本発明の要旨を逸脱しない範囲の設計変更等も含まれる。また、上述の第一実施形態および変形例において示した構成要素は適宜に組み合わせて構成することが可能である。
【００３１】
例えば、上記実施形態では、ドラム用ミュート部材１００は、固定部材３を備えていた。しかし、支持部１のみによって、ミュート部２が径方向の外側に十分伸びて、初期位置にもどる復元力が強くなるように支持されていれば、固定部材３は必ずしも必要ではない。
【００３２】
また、上記実施形態では、支持部１はドラムヘッドＤから突出する環状のフープＨ（凸部）の先端部Ｈａに支持されていた。しかしながら、支持部１が支持される態様はこれに限定されない。凸部は必ずしも環状に形成されている必要はない。例えば、支持部１はドラムヘッドＤから突出する、分割された複数の凸部の先端部によって支持されていてもよい。ドラムヘッドＤの周縁に少なくとも二つの対向する凸部があれば、凸部の先端部は支持部１を、径方向の外側に伸ばした状態で、支持することができる。
【００３３】
また、上記実施形態では、支持部１およびミュート部２の両方が弾性を有していた。しかしながら、ドラム用ミュート部材１００の構成はこれに限定されない。例えば、ミュート部２のみが弾性を有していてもよい。
図５は、ドラム用ミュート部材１００の変形例であるドラム用ミュート部材１００Ａをドラムに取り付けた際の断面図である。
ドラム用ミュート部材１００Ａは、支持部１Ａと、ミュート部２と、を備えている。
【００３４】
支持部１の変形例である支持部１Ａは、支持部１と同様、環状形状に形成されており、フープＨの外周面に取り付けることができる。支持部１Ａは弾性を有さないが、支持部１Ａの係寸法は、取り付け対象のドラムのフープＨの外周の係寸法以上であり、フープＨの外周面に取り付けることができる。
【００３５】
ドラム用ミュート部材１００Ａをドラムに取り付けた場合、支持部１ＡはフープＨの先端部Ｈａによって支持され、ミュート部２は支持部１Ａによって周縁が支持されている。ミュート部２は弾性変形により径方向の外側に伸び、たるみのない平面形状となって支持部１Ａによって支持されている。ミュート部２を、ドラムヘッドＤに対してスティック等の打撃体で押さえつけると、ミュート部２がドラムヘッドＤに接触するまで弾性変形する。
【００３６】
ミュート部２をドラムヘッドＤに対して押さえつけていた力を解消すると、ミュート部２は、ミュート部２の復元力によって、もとの位置に戻る。
【００３７】
ドラム用ミュート部材１００Ａは、ドラム用ミュート部材１００同様、容易に着脱可能であり、スティックなどの打撃体からドラムヘッドＤが受ける運動エネルギー自体を低減させることで、ドラムが発する音量、特にアタック音の音量を低減させることができる。また、スティックなどの打撃体による打撃後、ミュート部２はもとの位置に戻り、ドラムヘッドＤにはミュート部２が接触しない。そのため、ドラムは、ドラムのもつ自然な音色やサスティーンを発することができる。
【００３８】
また、上記変形例とは逆に、ドラム用ミュート部材は、支持部１のみが弾性を有していてもよい。ミュート部が弾性を有していない布で形成されていても、支持部１が、支持部１の復元力により、ミュート部を径方向の外側に引っ張り平面形状とし、ミュート部をドラムヘッドＤに対して間隔をあけて配置することができる。また、スティックなどの打撃体からドラムヘッドＤが受ける運動エネルギー自体を低減させることで、ドラムが発する音量、特にアタック音の音量を低減させることができる。
また、スティックなどの打撃体による打撃後、ミュート部は支持部１の復元力により、もとの位置に戻り、ドラムヘッドＤにはミュート部が接触しない。そのため、ドラムは、ドラムのもつ自然な音色やサスティーンを発することができる。
弾性を有しない素材をミュート部として選択でき、多様な素材による様々なミュート効果を得ることができる。
【符号の説明】
【００３９】
１００，１００Ａ…ドラム用ミュート部材、１，１Ａ…支持部、２…ミュート部、３…固定部材
【図１】
2018146749.tif 000003
【図２】
2018146749.tif 000004
【図３】
2018146749.tif 000005
【図４】
2018146749.tif 000006
【図５】
2018146749.tif 000007